(57)【要約】【課題】  光アイソレータを介して光波長変換素子に入力する光パワーの損失を防ぐ。【解決手段】  互いに波長の異なる信号光λＡと制御光λＢとを入力し、信号光λＡを異なる波長の変換光λＣに変換する光波長変換モジュール２９において、二次非線形光学効果を有する材料からなり、周期的な分極反転構造を有する光導波路を含む光波長変換素子２１と、光波長変換素子２１の出力端に結合され、信号光λＡと制御光λＢの波長に対応した反射グレーティング２３を有する光ファイバ２２ａとを備えた。【選択図】  図２
2005202333.tif 000002
【特許請求の範囲】
【請求項１】
互いに波長の異なる信号光と制御光とを入力し、前記信号光を異なる波長の変換光に変換する光波長変換モジュールにおいて、
二次非線形光学効果を有する材料からなり、周期的な分極反転構造を有する光導波路を含む光波長変換素子と、
該光波長変換素子の出力端に結合され、前記信号光と前記制御光の少なくともいずれかの波長に対応した反射グレーティングと
を備えたことを特徴とする光波長変換素子モジュール。
【請求項２】
互いに波長の異なる信号光と制御光とを２つのレーザダイオードから入力し、前記信号光を異なる波長の変換光に変換する光波長変換モジュールを用いたレーザ光源において、
前記光波長変換モジュールは、二次非線形光学効果を有する材料からなり、周期的な分極反転構造を有する光導波路からなる光波長変換素子と、該光波長変換素子の出力端に結合され、前記信号光と前記制御光の少なくともいずれかの波長に対応した反射グレーティングとを含み、
前記光波長変換モジュールの出力側に結合され、前記変換光のみを出力する波長フィルタを備えたことを特徴とするレーザ光源。
【請求項３】
前記光波長変換モジュールは、前記信号光および前記制御光の波長に対応した反射グレーティングを含み、
前記光波長変換モジュールの入力側に結合され、前記変換光を阻止する波長フィルタを
さらに備えたことを特徴とする請求項２に記載のレーザ光源。
【請求項４】
互いに波長の異なる信号光と制御光とを２つのレーザダイオードから入力し、前記信号光を異なる波長の変換光に変換する光波長変換モジュールを用いたレーザ光源において、
前記光波長変換モジュールは、二次非線形光学効果を有する材料からなり、周期的な分極反転構造を有する光導波路からなる光波長変換素子を含み、
前記レーザダイオードと前記光波長変換モジュールの入力との間の光路中に結合され、前記信号光および前記制御光の波長に対応した反射グレーティングと、
各々の前記レーザダイオードの出力側に結合され、該レーザダイオードの出力光のみを透過する波長フィルタと、
前記光波長変換モジュールの出力側に結合され、前記変換光のみを出力する波長フィルタと
を備えたことを特徴とするレーザ光源。
【請求項５】
入力光を２倍高調波の波長の変換光に変換する光波長変換モジュールを用いたレーザ光源において、
前記光波長変換モジュールは、二次非線形光学効果を有する材料からなり、周期的な分極反転構造を有する光導波路からなる光波長変換素子と、該光波長変換素子の出力端に結合され、前記入力光の波長に対応した反射グレーティングとを含み、
前記入力光を出力するレーザダイオードと前記光波長変換モジュールの入力との間の光路中に結合され、前記変換光を阻止する波長フィルタを備えたことを特徴とするレーザ光源。
【発明の詳細な説明】
【技術分野】
【０００１】
本発明は、光波長変換モジュールおよびレーザ光源に関し、より詳細には、光通信、計測の分野で用いられるレーザ光源と、レーザ光源に用いられる波長を変換するための光波長変換モジュールに関する。
【背景技術】
【０００２】
近年、光通信システムの通信容量の増大を図るために、波長の異なる複数の光を多重化して伝送する波長分割多重（ＷＤＭ）通信システムが積極的に導入されている。このようなＷＤＭ通信システムにおいては、限られた波長数を有効に利用するために、信号波長を任意の信号波長に変換する波長変換素子の実用化が求められている。従来、光の波長を変換する波長変換素子として、半導体光増幅器を応用した素子、四光波混合を利用する素子、二次非線形光学効果の一種である擬似位相整合による第二高調波発生、和周波発生、差周波発生を利用した波長変換素子等が知られている（例えば、特許文献１参照）。
【０００３】
図１に、従来の擬似位相整合型の波長変換素子を用いたレーザ光源の構成を示す。レーザ光源は、波長λＡの信号光Ａを出力するレーザダイオードモジュール５ａと、波長λＢの制御光Ｂを出力するレーザダイオードモジュール５ｂと、信号光Ａと制御光Ｂとを入力し、信号光Ａを波長λＣの変換光に変換して出力する光波長変換素子モジュール９とから構成されている。光波長変換素子モジュール９は、そのパッケージ内部に、金属製サブマウント４に載置された光波長変換素子１と、光波長変換素子１と熱的に結合されたペルチェ素子８とを備えている。
【０００４】
レーザダイオードモジュール５ａ，５ｂの出力は、光ファイバ２を介して波長合成器モジュール６に接続される。波長合成器モジュール６によって合波された信号光Ａと制御光Ｂとは、光ファイバ２を介して光波長変換素子モジュール９に入力される。入力された光は、光波長変換素子１の非線形光学効果により、変換光Ｃへ変換され、変換光Ｃのみを取り出すインライン型の波長フィルタ１０を介して出力される。ここで、光ファイバ２ｂ〜２ｅは、偏波保持ファイバであり、光ファイバ２ａは、用途により偏波保持ファイバまたは通常の光ファイバを用いる。
【０００５】
光波長変換素子１は、通常、ニオブ酸リチウムなどの非線形光学結晶基板に、周期的な分極反転構造が作製され、光導波路が形成されている。光波長変換素子モジュール９は、ニオブ酸リチウムを用いた素子の両端に光ファイバを直接接続した高速光変調器と、ほぼ同様のモジュール構造を有している。ニオブ酸リチウムの光波長変換素子１は、温度依存性が大きいため、最適な変換効率が得られるように、温度制御用のペルチェ素子８を内蔵している。
【０００６】
変換光Ｃの強度は、信号光Ａと制御光Ｂの強度の積に比例するので、制御光Βを一定強度にしておけば、信号光Ａから変換光Ｃへ波長のみを変換することができる。例えば、λＡ＝１．５５μｍ、λＢ＝０．９８μｍのとき、和周波としてλＣ＝０．６０μｍが得られる。また、λＡ＝１．３１μｍ、λＢ＝１．０６μｍのとき、和周波としてλＣ＝０．５９μｍが得られる。さらに、λＡ＝１．５５μｍ、λＢ＝０．７７μｍのとき、差周波としてλＣ＝１．５３μｍが得られる。従って、特定の波長を得るためには、信号光Ａと制御光Ｂの波長を厳密に制御する必要がある。
【０００７】
１．５５μｍ、１．３１μｍの波長は、光通信で使われている長波長帯であり、レーザダイオードモジュール５ａとして、ＤＦＢレーザダイオードのような単一波長で発振するレーザダイオードを用いることができる。一方、０．９８μｍ、１．０６μｍ、０．７７μｍの短波長帯の波長は、ＤＦＢレーザダイオードを作製するのは大変難しくかつ需要も少ないので、レーザダイオードモジュール５ｂとして通常多モード発振のレーザダイオードを用いている。そこで、特定の波長のみを一部反射するファイバグレーティング３を、レーザダイオードモジュール５ｂの出力に接続し、出力光の一部をレーザダイオード５ｂに再注入することにより、発振波長をグレーティング波長に同期させ、単一の波長で発振するように制御している。
【０００８】
上述した注入同期は、同期条件が厳しく、他の波長の反射光があるとモードが容易に跳んでしまう。そこで、他の反射光を防ぐために、光アイソレータ１４ｂを接続する必要がある。また、ＤＦＢレーザダイオードは、反射光に弱いので、レーザダイオードモジュール５ａ内に光アイソレータ１４ａを内蔵している。１．３〜１．５５μｍの通信波長帯用の光アイソレータは、小型で低損失（＜０．５ｄＢ）の製品が量産されており、安価である。
【０００９】
【特許文献１】特開２００３−１４０２１４号公報
【発明の開示】
【発明が解決しようとする課題】
【００１０】
しかしながら、短波長帯の０．９８μｍ帯、１．０６μｍ帯で使える光アイソレータ１４ｂは、損失が２ｄＢ程度と大きいために、レーザダイオードモジュール５ｂの出力をかなり減少させてしまうという問題があった。光波長変換素子１は、変換効率があまり高くないために、比較的大きな入力パワーを必要とする。単一モード発振するレーザダイオードの出力パワーとしては、限界のパワーを要求されることが多く、光アイソレータによる損失は無視できない。
【００１１】
一方、短波長帯の０．７７μｍ帯の光アイソレータ１４ｂは、損失は比較的小さいものの、極めてサイズが大きいという問題があった。これら通信波長帯以外の波長の光アイソレータは、需要が少ないために現状ではかなり高価である。
【００１２】
本発明は、このような問題に鑑みてなされたもので、その目的とするところは、光波長変換素子に入力する光パワーが、光アイソレータによって減少するのを防ぐことのできる光波長変換モジュールおよびレーザ光源を提供することにある。
【課題を解決するための手段】
【００１３】
本発明は、このような目的を達成するために、請求項１に記載の発明は、互いに波長の異なる信号光と制御光とを入力し、前記信号光を異なる波長の変換光に変換する光波長変換モジュールにおいて、二次非線形光学効果を有する材料からなり、周期的な分極反転構造を有する光導波路を含む光波長変換素子と、該光波長変換素子の出力端に結合され、前記信号光と前記制御光の少なくともいずれかの波長に対応した反射グレーティングとを備えたことを特徴とする。
【００１４】
請求項２に記載の発明は、互いに波長の異なる信号光と制御光とを２つのレーザダイオードから入力し、前記信号光を異なる波長の変換光に変換する光波長変換モジュールを用いたレーザ光源において、前記光波長変換モジュールは、二次非線形光学効果を有する材料からなり、周期的な分極反転構造を有する光導波路からなる光波長変換素子と、該光波長変換素子の出力端に結合され、前記信号光と前記制御光の少なくともいずれかの波長に対応した反射グレーティングとを含み、前記光波長変換モジュールの出力側に結合され、前記変換光のみを出力する波長フィルタを備えたことを特徴とする。
【００１５】
請求項３に記載の発明は、請求項２に記載の前記光波長変換モジュールは、前記信号光および前記制御光の波長に対応した反射グレーティングを含み、前記光波長変換モジュールの入力側に結合され、前記変換光を阻止する波長フィルタをさらに備えたことを特徴とする。
【００１６】
請求項４に記載の発明は、互いに波長の異なる信号光と制御光とを２つのレーザダイオードから入力し、前記信号光を異なる波長の変換光に変換する光波長変換モジュールを用いたレーザ光源において、前記光波長変換モジュールは、二次非線形光学効果を有する材料からなり、周期的な分極反転構造を有する光導波路からなる光波長変換素子を含み、前記レーザダイオードと前記光波長変換モジュールの入力との間の光路中に結合され、前記信号光および前記制御光の波長に対応した反射グレーティングと、各々の前記レーザダイオードの出力側に結合され、該レーザダイオードの出力光のみを透過する波長フィルタと、前記光波長変換モジュールの出力側に結合され、前記変換光のみを出力する波長フィルタとを備えたことを特徴とする。
【００１７】
請求項５に記載の発明は、入力光を２倍高調波の波長の変換光に変換する光波長変換モジュールを用いたレーザ光源において、前記光波長変換モジュールは、二次非線形光学効果を有する材料からなり、周期的な分極反転構造を有する光導波路からなる光波長変換素子と、該光波長変換素子の出力端に結合され、前記入力光の波長に対応した反射グレーティングを有する光導波路とを含み、前記入力光を出力するレーザダイオードと前記光波長変換モジュールの入力との間の光路中に結合され、前記変換光を阻止する波長フィルタを備えたことを特徴とする。
【発明の効果】
【００１８】
以上説明したように、本発明によれば、光波長変換素子の出力端に結合され、制御光の波長に対応した反射グレーティングを有する光ファイバを備えたので、制御光の一部をレーザダイオードに再注入するとともに、光アイソレータによる光パワーの損失を防ぐことができ、高価な光アイソレータを省略することが可能となる。
【発明を実施するための最良の形態】
【００１９】
以下、図面を参照しながら本発明の実施形態について詳細に説明する。  
図２に、本発明の第１の実施形態にかかるレーザ光源を示す。レーザ光源は、長波長帯の波長λＡの信号光Ａを出力するレーザダイオードモジュール５ａと、短波長帯の波長λＢの制御光Ｂを出力するレーザダイオードモジュール５ｂと、信号光Ａと制御光Ｂとを入力し、信号光Ａを波長λＣの変換光に変換して出力する光波長変換素子モジュール２９とから構成されている。レーザダイオードモジュール５ａ，５ｂの出力は、光ファイバ２ｃ，２ｄを介して波長合成器モジュール６に接続される。波長合成器モジュール６によって合波された信号光Ａと制御光Ｂとは、光ファイバ２２ｂを介して光波長変換素子モジュール２９に入力される。
【００２０】
光波長変換素子モジュール２９は、そのパッケージ内部に、金属製サブマウント２４に載置された光波長変換素子２１と、光波長変換素子２１と熱的に結合されたペルチェ素子２８とを備えている。入力された光は、光波長変換素子２１の非線形光学効果により、変換光Ｃへ変換され、出力端に結合された光ファイバ２２ａに出力される。さらに、変換光Ｃのみを取り出すインライン型の波長フィルタ１０により波長λＣの変換光のみを取り出す。ここで、レーザダイオードモジュール５ａから出力される信号光Ａの波長λＡ＝１．３１μｍとし、レーザダイオードモジュール５ｂから出力される制御光Ｂの波長λΒ＝１．０６μｍとする。
【００２１】
光波長変換素子２１に入力された光は、一部の光が波長λＣ＝０．５９μｍに変換され、これら波長λＡ，λΒ，λＣの光が、光ファイバ２２ａに結合される。光ファイバ２２ａは、反射グレーティングであるファイバグレーティング２３を有する。ファイバグレーティング２３において、波長λＢの光のみが一部（通常数％）反射され、再び光波長変換素子２１と波長合成器モジュール６を経由してレーザダイオードモジュール５ｂへ再注入される。光ファイバ２２ａに結合した光は、インライン型の波長フィルタ１０により波長λＡ，λΒは阻止され、λＣのみが最終的に出力される。
【００２２】
また、ファイバ接続部２７ａ，２７ｂにおいて、光波長変換素子２１と光ファイバ２２ａ，２２ｂの端面は、それぞれ斜め研磨した状態で接着され、反射が戻らないように接続されている。さらに、光ファイバ同士の接続は、反射抑制、偏波保持および損失低減のために融着接続されている。波長合成器モジュール６は、入出力面に反射防止膜を付けたプリズム型、またはファイバカプラ型を用いる。波長合成器モジュール６は、波長λＢのみ反射し、波長λＡ，λＣは透過の特性を有するように構成する。
【００２３】
このような構成により、波長フィルタ１０の出力側から入射する波長λＢの光は、波長フィルタ１０により阻止されるので、レーザダイオードモジュール側には戻らない。波長λＣの反射光は、レーザダイオードモジュール側に戻るが、波長合成器モジュール６を透過して、レーザダイオードモジュール５ｂには戻らない。このとき、波長λＣの反射光は、レーザダイオード５ａに入射するが、光アイソレータ１４ａにより阻止される。
【００２４】
このようにして、レーザダイオードモジュール５ｂの出力に接続される光アイソレータを省略することができる。実験では、光アイソレータをレーザダイオードモジュール５ｂに接続した場合、１．３ｍＷの出力だった。光アイソレータを接続しない場合には、最大２．０ｍＷの出力光が得られ、同じレーザダイオードモジュールでも出力パワーが増大することが確認できた。
【００２５】
図３に、本発明の第２の実施形態にかかるレーザ光源を示す。レーザ光源は、短波長帯の波長λＡの信号光Ａを出力するレーザダイオードモジュール５ａと、短波長帯の波長λＢの制御光Ｂを出力するレーザダイオードモジュール５ｂと、信号光Ａと制御光Ｂとを入力し、信号光Ａを波長λＣの変換光に変換して出力する光波長変換素子モジュール３９とから構成されている。レーザダイオードモジュール５ａ，５ｂの出力は、光ファイバ２ｃ，２ｄを介して波長合成器モジュール６に接続される。波長合成器モジュール６によって合波された信号光Ａと制御光Ｂとは、波長λＡと波長λＢとを透過し、波長λＣを阻止する波長フィルタ１１を介して光波長変換素子モジュール３９に入力される。
【００２６】
光波長変換素子モジュール３９は、そのパッケージ内部に、金属製サブマウント３４に載置された光波長変換素子３１と、光波長変換素子３１と熱的に結合されたペルチェ素子３８とを備えている。入力された光は、光波長変換素子３１の非線形光学効果により、変換光Ｃへ変換され、出力端に結合された光ファイバ３２ａに出力される。さらに、変換光Ｃのみを取り出すインライン型の波長フィルタ１０により波長λＣの変換光のみを取り出す。ここで、レーザダイオードモジュール５ａから出力される信号光Ａの波長λＡ＝１．０６μｍとし、レーザダイオードモジュール５ｂから出力される制御光Ｂの波長λΒ＝０．９８μｍとする。
【００２７】
光波長変換素子３１に入力された光は、一部の光が波長λＣ＝０．５１μｍに変換され、これら波長λＡ，λΒ，λＣの光が、光ファイバ３２ａに結合される。光ファイバ３２ａは、反射グレーティングであるファイバグレーティング３３を有する。ファイバグレーティング３３は、異なる波長に合わせて２種類のグレーティング周期が作り込まれている。ファイバグレーティング３３において、波長λＡ，λＢの光が一部（通常数％）反射され、再び光波長変換素子３１と波長フィルタ１１を経由して波長合成器モジュール６へ出力される。波長合成器モジュール６は、波長λＢのみ反射し、波長λＡは透過の特性を有するように構成する。反射された波長λＢの光は、レーザダイオードモジュール５ｂへ再注入される。
【００２８】
このような構成により、波長フィルタ１０の出力側から入射する波長λＢの光は、波長フィルタ１０により阻止されるので、レーザダイオードモジュール側には戻らない。波長λＣの反射光は、波長フィルタ１１により阻止されるので、レーザダイオードモジュール側に戻らいない。このとき、波長λＡの反射光は、レーザダイオードモジュール５ａに再注入される。このようにして、レーザダイオードモジュール５ａに内蔵される光アイソレータを省略することができる。
【００２９】
なお、波長フィルタ１０，１１は、インライン型のフィルタに限らず、光波長変換素子の入射端面に誘電体膜をコーティングして、フィルタ機能を持たせたものでも良い。また、各レーザダイオードモジュールの光学系に、波長のλＣの光を反射する膜を付けることもできる。
【００３０】
図４に、本発明の第３の実施形態にかかるレーザ光源を示す。レーザ光源は、短波長帯の波長λＡの信号光Ａを出力するレーザダイオードモジュール５ａと、短波長帯の波長λＢの制御光Ｂを出力するレーザダイオードモジュール５ｂと、信号光Ａと制御光Ｂとを入力し、信号光Ａを波長λＣの変換光に変換して出力する光波長変換素子モジュール９とから構成されている。光波長変換素子モジュール９は、そのパッケージ内部に、金属製サブマウント４に載置された光波長変換素子１と、光波長変換素子１と熱的に結合されたペルチェ素子８とを備えている。
【００３１】
レーザダイオードモジュール５ａの出力は、光ファイバ２ｆと、波長λＡのみを透過する波長フィルタ１１ａと、光ファイバ２ｃとを介して波長合成器モジュール６に接続される。レーザダイオードモジュール５ｂの出力は、光ファイバ２ｅと、波長λＢのみを透過する波長フィルタ１１ｂと、光ファイバ２ｄとを介して波長合成器モジュール６に接続される。波長合成器モジュール６によって合波された信号光Ａと制御光Ｂとは、光波長変換素子モジュール９に入力される。入力された光は、光波長変換素子１の非線形光学効果により、変換光Ｃへ変換され、変換光Ｃのみを取り出すインライン型の波長フィルタ１０を介して出力される。ここで、レーザダイオードモジュール５ａから出力される信号光Ａの波長λＡ＝１．０６μｍとし、レーザダイオードモジュール５ｂから出力される制御光Ｂの波長λΒ＝０．９８μｍとする。光波長変換素子１に入力された光は、一部の光が波長λＣ＝０．５１μｍに変換される。
【００３２】
光ファイバ２ｆは、反射グレーティングであるファイバグレーティング４３ａを有し、波長λＡの光のみが一部（通常数％）反射され、レーザダイオードモジュール５ａへ再注入される。光ファイバ２ｅは、ファイバグレーティング４３ｂを有し、波長λＢの光のみが一部（通常数％）反射され、レーザダイオードモジュール５ｂへ再注入される。
【００３３】
このような構成により、波長フィルタ１０の出力側から入射する波長λＢの光は、波長フィルタ１０により阻止されるので、レーザダイオードモジュール側には戻らない。波長λＣの反射光は、レーザダイオードモジュール側に戻るが、波長フィルタ１１ａ，１１ｂにより、レーザダイオードモジュール５ａ，５ｂには戻らない。このようにして、レーザダイオードモジュール５ａ，５ｂの出力に接続される光アイソレータを省略することができる。
【００３４】
第３の実施形態では、ファイバグレーティング４３ａ，４３ｂがレーザダイオードモジュール５ａ，５ｂに近接しているので、結合が安定している点で、上述の実施形態に比べて有利である。また、波長フィルタ１１ａ，１１ｂは、単一波長の帯域フィルタでよいことから、製造が容易である。
【００３５】
図５に、本発明の第４の実施形態にかかるレーザ光源を示す。短波長帯の波長λＡ＝０．９４μｍのレーザダイオードの出力に対して、２倍高調波の波長λＣ＝０．４７μｍの出力光を得るレーザ光源である。レーザ光源は、波長λＡの光を出力するレーザダイオードモジュール５ａと、波長λＡを透過し、波長λＣを阻止する波長フィルタ１１と、波長λＡの入力光を波長λＣの変換光に変換して出力する光波長変換素子モジュール４９とから構成されている。
【００３６】
光波長変換素子モジュール４９は、そのパッケージ内部に、金属製サブマウント４４に載置された光波長変換素子４１と、光波長変換素子４１と熱的に結合されたペルチェ素子４８と、光波長変換素子４１の出力端に結合されたファイバグレーティング付のガラス導波路１２とを備えている。入力された光は、光波長変換素子４１の非線形光学効果により、変換光Ｃへ変換され、ガラス導波路１２を介して出力される。出力光は、変換光Ｃをコリメート化するレンズ１３と気密封止用のガラス窓１５を介して出力される。
【００３７】
第４の実施形態では、光ファイバ出力ではないので、光波長変換素子４１との接続が比較的容易なガラス導波路１２を用いているが、機能としては第１，２の実施形態におけるファイバグレーティングと同じである。すなわち、波長λＡの光のみが一部（通常数％）反射され、レーザダイオードモジュール５ａへ再注入される。また、レンズ１３には、波長λＣを透過し、波長λＡを反射するコーティングを付し、出力側の波長フィルタを兼ねている。なお、気密封止用のガラス窓１５にコーティングして波長フィルタの機能を持たせることもできる。
【００３８】
このような構成により、波長λＣの反射光は、波長フィルタ１１により阻止されるので、レーザダイオードモジュール５ａに戻らないので、レーザダイオードモジュール５ａに内蔵される光アイソレータを省略することができる。入力側の波長フィルタ１１に代えて、第２の実施形態と同様に、光波長変換素子４７の端面にコーティング膜を付したり、またはレーザダイオードモジュール５ａの光学系にコーティング膜を付して波長フィルタの機能を持たせても良い。また、ファイバグレーティング付のガラス導波路１２に代えて、ファイバグレーティング付の光ファイバとしたり、第３の実施形態と同様に、レーザダイオードモジュールと光波長変換素子モジュールとの間にファイバグレーティングを設けてもよい。
【図面の簡単な説明】
【００３９】
【図１】従来の擬似位相整合型の波長変換素子を用いたレーザ光源を示す構成図である。
【図２】本発明の第１の実施形態にかかるレーザ光源を示す構成図である。
【図３】本発明の第２の実施形態にかかるレーザ光源を示す構成図である。
【図４】本発明の第３の実施形態にかかるレーザ光源を示す構成図である。
【図５】本発明の第４の実施形態にかかるレーザ光源を示す構成図である。
【符号の説明】
【００４０】
１，２１，３１，４１    光波長変換素子
２，２２，３２，４２    光ファイバ
３，２３，３３，４３    ファイバグレーティング
４，２４，３４，４４    金属製サブマウント
５    レーザダイオードモジュール
６    波長合成器モジュール
７，２７，３７，４７    ファイバ接続部
８，２８，３８，４８    ペルチェ素子
９，２９，３９，４９    光波長変換素子モジュール
１０，１１    波長フィルタ
１２    ガラス導波路
１３    レンズ
１４    光アイソレータ
１５    ガラス窓
【図１】
2005202333.tif 000003
【図２】
2005202333.tif 000004
【図３】
2005202333.tif 000005
【図４】
2005202333.tif 000006
【図５】
2005202333.tif 000007